(57)【要約】【課題】  前後方向における小型化を図る。【解決手段】  レンズ鏡筒６の内部に所定のレンズが配置された鏡筒ブロック２と、該鏡筒ブロックを介して取り込んだ被写体の光信号を画像信号に変換する撮像素子を有する撮像ブロック３と、少なくとも画像信号の処理を行う回路基板７、７、・・・が配置された回路ブロック４と、画像信号を記録する記録ブロック５とを設け、被写体側を前方としたときに、撮像ブロックと回路ブロックを前後に隣接して配置し、記録ブロックを撮像ブロックと回路ブロックの並ぶ方向に直交する方向において撮像ブロック及び回路ブロックに隣接して配置した。【選択図】        図１
2008083354.tif 000002
【特許請求の範囲】
【請求項１】
レンズ鏡筒の内部に所定のレンズが配置された鏡筒ブロックと、
該鏡筒ブロックを介して取り込んだ被写体の光信号を画像信号に変換する撮像素子を有する撮像ブロックと、
少なくとも画像信号の処理を行う回路基板が配置された回路ブロックと、
画像信号を記録する記録ブロックとを備え、
被写体側を前方としたときに、撮像ブロックと回路ブロックを前後に隣接して配置し、記録ブロックを撮像ブロックと回路ブロックの並ぶ方向に直交する方向において撮像ブロック及び回路ブロックに隣接して配置した
ことを特徴とする撮像装置。
【請求項２】
上記記録ブロックを撮像ブロック及び回路ブロックの左方又は右方に隣接して配置した
ことを特徴とする請求項１に記載の撮像装置。
【請求項３】
上記記録ブロックを撮像ブロック及び回路ブロックの上方又は下方に隣接して配置した
ことを特徴とする請求項１に記載の撮像装置。
【請求項４】
上記回路ブロックの内部に回路基板を冷却する冷却ファンを配置し、
該冷却ファンの回転軸の軸方向を回路基板の部品実装面が向く方向と直交する方向に延びる向きとした
ことを特徴とする請求項１に記載の撮像装置。
【発明の詳細な説明】
【技術分野】
【０００１】
本発明は撮像装置についての技術分野に関する。詳しくは、各ブロックの配置を工夫して前後方向における小型化を図る技術分野に関する。
【背景技術】
【０００２】
ビデオカメラ等の撮像装置は各種の用途に使用され、例えば、一般家庭において種々の画像を撮影するために使用される汎用型のタイプ、映画撮影等に使用されるタイプ、報道関係等において使用されるタイプ等の各種のタイプが存在する。
【０００３】
このような撮像装置には、所定のレンズがレンズ鏡筒の内部に配置された鏡筒ブロック、撮像素子を有する撮像ブロック、回路基板を有する回路ブロック、記録媒体用のドライブ機構（メカデッキ）や半導体記憶媒体を有し画像信号を記録する記録ブロック等の所要の各ブロックが備えられている（例えば、特許文献１参照）。
【０００４】
従来の撮像装置には、図１５に示すように、鏡筒ブロックａの後方に撮像ブロックｂが隣接して配置され、該撮像ブロックｂの後方に回路ブロックｃと記録ブロックｄが左右に隣接して配置された撮像装置ｅがある。
【０００５】
【特許文献１】特開２００１−５３９９４号公報
【発明の開示】
【発明が解決しようとする課題】
【０００６】
ところが、従来の撮像装置ｅにあっては、鏡筒ブロックａと撮像ブロックｂが前後に位置され、これらの後方に回路ブロックｃと記録ブロックｄが位置されているため、前後方向の長さが長く使用時に不都合を生じる場合があった。
【０００７】
例えば、映画撮影等においては、狭いスペースにおいて撮影する場合があるが、このような場合には前後の長さが邪魔となり、撮影に支障を来たすことがある。
【０００８】
また、報道関係等において使用する場合に、密集状態の中で撮像装置を肩に載せて使用することも多いが、この場合には前後両端部が前後に存在する他人や他人の撮像装置に接触するという不都合を生じることもあった。
【０００９】
そこで、本発明撮像装置は、上記した問題点を克服し、前後方向における小型化を図ることを課題とする。
【課題を解決するための手段】
【００１０】
本発明撮像装置は、上記した課題を解決するために、レンズ鏡筒の内部に所定のレンズが配置された鏡筒ブロックと、該鏡筒ブロックを介して取り込んだ被写体の光信号を画像信号に変換する撮像素子を有する撮像ブロックと、少なくとも画像信号の処理を行う回路基板が配置された回路ブロックと、画像信号を記録する記録ブロックとを設け、被写体側を前方としたときに、撮像ブロックと回路ブロックを前後に隣接して配置し、記録ブロックを撮像ブロックと回路ブロックの並ぶ方向に直交する方向において撮像ブロック及び回路ブロックに隣接して配置したものである。
【００１１】
従って、本発明撮像装置にあっては、撮像ブロックの前端から回路ブロックの後端又は後方にバッテリーを搭載する仕様の装置においてはバッテリーの後端までの範囲内に記録ブロックが位置される。
【発明の効果】
【００１２】
本発明撮像装置は、レンズ鏡筒の内部に所定のレンズが配置された鏡筒ブロックと、該鏡筒ブロックを介して取り込んだ被写体の光信号を画像信号に変換する撮像素子を有する撮像ブロックと、少なくとも画像信号の処理を行う回路基板が配置された回路ブロックと、画像信号を記録する記録ブロックとを備え、被写体側を前方としたときに、撮像ブロックと回路ブロックを前後に隣接して配置し、記録ブロックを撮像ブロックと回路ブロックの並ぶ方向に直交する方向において撮像ブロック及び回路ブロックに隣接して配置したことを特徴とする。
【００１３】
従って、前後方向における全長が短く、撮影時における前後の長さが邪魔となるような不都合が解消され、撮影時における良好な使い勝手を図ることができる。
【００１４】
請求項２に記載した発明にあっては、上記記録ブロックを撮像ブロック及び回路ブロックの左方又は右方に隣接して配置したので、各ブロックの大きさと特長に応じ、目的に対する各ブロックの最適な配置を選択することができる。
【００１５】
請求項３に記載した発明にあっては、上記記録ブロックを撮像ブロック及び回路ブロックの上方又は下方に隣接して配置したので、各ブロックの大きさと特長に応じ、目的に対する各ブロックの最適な配置を選択することができる。
【００１６】
請求項４に記載した発明にあっては、上記回路ブロックの内部に回路基板を冷却する冷却ファンを配置し、該冷却ファンの回転軸の軸方向を回路基板の部品実装面が向く方向と直交する方向に延びる向きとしたので、外部の空気が回路基板に沿って流動され、冷却効率の向上を図ることができる。
【発明を実施するための最良の形態】
【００１７】
以下に、本発明を実施するための最良の形態を添付図面に従って説明する。
【００１８】
以下に示した最良の形態は、本発明撮像装置をビデオカメラに適用したものである。尚、本発明の適用範囲はビデオカメラに限られることはなく、例えば、スチルカメラや画像（映像を含む。）を撮影する他の撮像装置に広く適用することができる。
【００１９】
以下の説明にあっては、ビデオカメラの撮影時において撮影者（使用者）から見た方向で前後上下左右の方向を示すものとする。従って、被写体側を前方とし、撮影者側を後方とする。尚、以下に示す前後上下左右の方向は説明の便宜上のものであり、本発明の実施に関しては、これらの方向に限定されることはない。
【００２０】
先ず、第１の最良の形態について説明する（図１乃至図１２参照）。
【００２１】
撮像装置（ビデオカメラ）１は、鏡筒ブロック２と撮像ブロック３と回路ブロック４と記録ブロック５を備えている（図１参照）。撮像装置１には図示しないファインダーが設けられている。
【００２２】
鏡筒ブロック２はレンズ鏡筒６の内部に所定のレンズが配置されている。
【００２３】
撮像ブロック３は鏡筒ブロック２を介して取り込んだ被写体の光信号を画像信号に変換する撮像素子を有し、鏡筒ブロック２の後側に隣接して配置されている。
【００２４】
回路ブロック４は内部に配置された複数の回路基板７、７、・・・と内部に設けられた冷却ファン８とを有している。
【００２５】
回路基板７は制御回路や信号処理回路等を有し、例えば、撮像素子によって生成された画像信号の処理や記録ブロック５の駆動制御等の各種の制御を行う。回路基板７、７、・・・は、例えば、部品実装面が左右方向を向くようにして左右に離隔して配置されている。
【００２６】
冷却ファン８は回路基板７、７、・・・に搭載された各種の電子部品から発生する熱による温度上昇を抑制する機能を有する。冷却ファン８は、例えば、排気用のファンであり、その回転軸が上下方向に延びる向きで回路基板７、７、・・・の下方に配置されている（図２参照）。
【００２７】
回路ブロック４の外面には、その下面に図示しない排気孔が形成され、後面又は上面に図示しない吸気孔が形成されている。
【００２８】
記録ブロック５は画像信号を記録する記録媒体、例えば、テープ状記録媒体、ディスク状記録媒体、カード型記録媒体等の駆動を行う図示しないドライブ機構やメモリー等の半導体記憶媒体を有している。記録ブロック５は撮像ブロック３及び回路ブロック４の右方に隣接して配置されている。
【００２９】
以上のように構成された撮像装置１において、撮影時等において各部が動作され、回路基板７、７、・・・に搭載された各種の電子部品が発熱したときには、回路ブロック４の後面、上面又はそれらの近傍に形成された吸気孔から冷却空気として取り込まれた外部の空気が回路基板７、７、・・・に沿って前方又は下方へ向けて流動され、さらに下方側へ流動されて冷却ファン８によって下面に形成された排気孔から外方へ排出され、回路ブロック４の内部温度の上昇が抑制される。
【００３０】
上記した冷却ファン８の回転軸の軸方向を上下方向とし、回路基板７、７、・・・の部品実装面が向く方向である左右方向と直交（略直交、およそ直交を含む。以下、同じ）する方向とすることにより、外部の空気が回路基板７、７、・・・に沿って流動され、冷却効率の向上を図ることができる。
【００３１】
尚、上記には、記録ブロック５を撮像ブロック３と回路ブロック４の右方に隣接して配置した例を示したが、逆に、記録ブロック５を撮像ブロック３と回路ブロック４の左方に隣接して配置してもよい。
【００３２】
以上に記載した通り、撮像装置１にあっては、撮像ブロック３と回路ブロック４を前後に隣接して配置し、記録ブロック５を撮像ブロック３及び回路ブロック４の右方又は左方に隣接して配置しているため、前後方向における全長が短く、撮影時における前後の長さが邪魔となるような不都合が解消され、撮影時における良好な使い勝手を図ることができる。
【００３３】
また、記録ブロック５が撮像ブロック３及び回路ブロック４の側方に配置されているため、その分、回路ブロック４の左右方向における幅が撮像ブロック３の左右方向における幅に合わせて大きくすることができる。従って、回路ブロック４に大型の冷却ファン８を配置することが可能となり、該冷却ファン８の小さい回転数で冷却に必要な風量を得ることができ、騒音周波数の低下と騒音レベルの低減による静音化を図ることができる。
【００３４】
尚、上記には、冷却ファン８を排気用のファンとして用いた例を示したが、逆に、冷却ファン８を吸気用のファンとして用いることも可能である。この場合には、回路ブロック４の下面に吸気孔が形成され後面、上面又はそれらの近傍に排気孔が形成される。
【００３５】
また、図３及び図４に示すように、冷却ファン８を、その回転軸が前後方向に延びる向きで回路基板７、７、・・・の後方に配置することも可能である。この場合に、冷却ファン８が排気用のファンとして用いられるときには回路ブロック４の下面前方又は上面前方に吸気孔が形成され後面に排気孔が形成され、冷却ファン８が吸気用のファンとして用いられるときには回路ブロック４の後面に吸気孔が形成され下面前方又は上面前方に排気孔が形成される。
【００３６】
さらに、図５及び図６に示すように、冷却ファン８を、その回転軸が上下方向に延びる向きで回路基板７、７、・・・の上方に配置することも可能である。この場合に、冷却ファン８が排気用のファンとして用いられるときには回路ブロック４の後面下方、前面下方又は下面に吸気孔が形成され上面又はその近傍に排気孔が形成され、冷却ファン８が吸気用のファンとして用いられるときには回路ブロック４の上面に吸気孔が形成され後面下方、前面下方又は下面に排気孔が形成される。
【００３７】
このように冷却ファン８を回路基板７、７、・・・の上方に配置し、特に、排気用のファンとして用いた場合には、回路ブロック４の内部で温度が上昇された空気が上方に移動され易いため、回路ブロック４の上面に形成された排気孔から空気が排出され易く、冷却効率の向上を図ることができる。
【００３８】
以下に、撮像装置１の各変形例について説明する（図７乃至図１２参照）。
【００３９】
尚、以下に示す各変形例は、上記した撮像装置１と比較して、鏡筒ブロック、撮像ブロック、回路ブロック及び記録ブロックの配置構成に相違はなく、回路ブロックに配置された回路基板及び冷却ファンの向きが異なることのみが相違するため、撮像装置１と比較して異なる部分についてのみ詳細に説明をし、その他の部分については撮像装置１における同様の部分に付した符号と同じ符号を付して説明は省略する。
【００４０】
第１の変形例に係る撮像装置１Ａは、図７及び図８に示すように、回路ブロック４Ａに回路基板７、７、・・・が、前後方向を向くようにして前後に離隔して配置されている。
【００４１】
冷却ファン８は、例えば、排気用のファンであり、その回転軸が上下方向に延びる向きで回路基板７、７、・・・の下方に配置されている。
【００４２】
回路ブロック４Ａには、下面に図示しない排気孔が形成され、上面又はその近傍に図示しない吸気孔が形成されている。
【００４３】
以上のように構成された撮像装置１Ａにおいて、撮影時等において各部が動作され、回路基板７、７、・・・に搭載された各種の電子部品が発熱したときには、回路ブロック４Ａの上面又はその近傍に形成された吸気孔から冷却空気として取り込まれた外部の空気が回路基板７、７、・・・に沿って右方又は下方へ向けて流動され、さらに下方側へ流動されて冷却ファン８によって下面に形成された排気孔から外方へ排出され、回路ブロック４Ａの内部温度の上昇が抑制される。
【００４４】
尚、撮像装置１Ａにあっても、記録ブロック５を撮像ブロック３と回路ブロック４の左方に隣接して配置してもよい。
【００４５】
また、撮像装置１Ａにおいて、冷却ファン８を吸気用のファンとして用いた場合には、回路ブロック４Ａの下面に吸気孔が形成され上面又はその近傍に排気孔が形成される。
【００４６】
さらに、撮像装置１Ａにおいて、記録ブロック５が回路ブロック４Ａの右方に配置されている場合には、冷却ファン８を、その回転軸が左右方向に延びる向きで回路基板７、７、・・・の左方に配置することが可能であり、記録ブロック５が回路ブロック４Ａの左方に配置されている場合には、冷却ファン８を、その回転軸が左右方向に延びる向きで回路基板７、７、・・・の右方に配置することが可能である。これらの場合には、冷却ファン８が排気用のファンとして用いられるときには回路ブロック４Ａの下面、上面又は後面に吸気孔が形成され左右何れかの側面に排気孔が形成され、冷却ファン８が吸気用のファンとして用いられるときには回路ブロック４Ａの左右何れかの側面に吸気孔が形成され下面、上面又は後面に排気孔が形成される。
【００４７】
また、冷却ファン８を、その回転軸が上下方向に延びる向きで回路基板７、７、・・・の上方に配置することも可能である。この場合に、冷却ファン８が排気用のファンとして用いられるときには回路ブロック４Ａの下面又はその近傍に吸気孔が形成され上面又はその近傍に排気孔が形成され、冷却ファン８が吸気用のファンとして用いられるときには回路ブロック４の上面又はその近傍に吸気孔が形成され下面又はその近傍に排気孔が形成される。
【００４８】
第２の変形例に係る撮像装置１Ｂは、図９及び図１０に示すように、回路ブロック４Ｂに回路基板７、７、・・・が、上下方向を向くようにして上下に離隔して配置されている。
【００４９】
冷却ファン８は、例えば、排気用のファンであり、その回転軸が前後方向に延びる向きで回路基板７、７、・・・の後方に配置されている。
【００５０】
回路ブロック４Ｂには、後面に図示しない排気孔が形成され、左側面前方に図示しない吸気孔が形成されている。
【００５１】
以上のように構成された撮像装置１Ｂにおいて、撮影時等において各部が動作され、回路基板７、７、・・・に搭載された各種の電子部品が発熱したときには、回路ブロック４Ｂの左側面前方に形成された吸気孔から冷却空気として取り込まれた外部の空気が回路基板７、７、・・・に沿って流動され、さらに後方側へ流動されて冷却ファン８によって後面に形成された排気孔から外方へ排出され、回路ブロック４Ｂの内部温度の上昇が抑制される。
【００５２】
尚、撮像装置１Ｂにあっても、記録ブロック５を撮像ブロック３と回路ブロック４の左方に隣接して配置してもよい。
【００５３】
また、撮像装置１Ｂにおいて、冷却ファン８を吸気用のファンとして用いた場合には、回路ブロック４Ｂの後面に吸気孔が形成され左側面前方、上面又は下面に排気孔が形成される。
【００５４】
さらに、撮像装置１Ｂにおいて、記録ブロック５が回路ブロック４Ｂの右方に配置されている場合には、冷却ファン８を、その回転軸が左右方向に延びる向きで回路基板７、７、・・・の左方に配置することが可能であり、記録ブロック５が回路ブロック４Ｂの左方に配置されている場合には、冷却ファン８を、その回転軸が左右方向に延びる向きで回路基板７、７、・・・の右方に配置することが可能である。これらの場合には、冷却ファン８が排気用のファンとして用いられるときには回路ブロック４Ｂの下面、上面又は後面に吸気孔が形成され左右何れかの側面に排気孔が形成され、冷却ファン８が吸気用のファンとして用いられるときには回路ブロック４Ｂの左右何れかの側面に吸気孔が形成され、下面、上面又は後面に排気孔が形成される。
【００５５】
第３の変形例に係る撮像装置１Ｃは、図１１及び図１２に示すように、回路ブロック４Ｃに回路基板７、７、・・・の部品実装面が、左右方向を向くようにして左右に離隔して配置されている。
【００５６】
冷却ファン８は、例えば、排気用のファンであり、その回転軸が前後方向に延びる向きで回路基板７、７、・・・の前方に配置されている。
【００５７】
回路ブロック４Ｃには、後面、上面又は下面に図示しない吸気孔が形成され、前端部における下面、上面又は左側面前方の少なくとも一つの面に図示しない排気孔が形成されている。
【００５８】
以上のように構成された撮像装置１Ｃにおいて、撮影時等において各部が動作され、回路基板７、７、・・・に搭載された各種の電子部品が発熱したときには、回路ブロック４Ｃの後面、上面又は下面に形成された吸気孔から冷却空気として取り込まれた外部の空気が回路基板７、７、・・・に沿って前方へ向けて流動され、冷却ファン８によって下面、上面又は左側面前方の少なくとも一つの面に形成された排気孔から外方へ排出され、回路ブロック４Ｃの内部温度の上昇が抑制される。
【００５９】
尚、撮像装置１Ｃにあっても、記録ブロック５を撮像ブロック３と回路ブロック４の左方に隣接して配置してもよい。
【００６０】
また、撮像装置１Ｃにおいて、冷却ファン８を吸気用のファンとして用いた場合には、回路ブロック４Ｃの前端部における下面、上面又は側面の少なくとも一つの面に吸気孔が形成され後面、上面又は下面に排気孔が形成される。
【００６１】
さらに、撮像装置１Ｃにおいて、回路基板７、７、・・・の部品実装面を上下方向を向くようにして上下に離隔して配置することも可能である。この場合に、冷却ファン８が排気用のファンとして用いられるときには、回路ブロック４Ｃの前端部における下面、上面又は側面の少なくとも一つの面に排気孔が形成され回路ブロック４Ｃの左右何れかの側面又は後面に吸気孔が形成され、冷却ファン８が吸気用のファンとして用いられるときには、回路ブロック４Ｃの左右何れかの側面又は後面に排気孔が形成され回路ブロック４Ｃの前端部における下面、上面又は側面の少なくとも一つの面に吸気孔が形成される。
【００６２】
次に、第２の最良の形態について説明する（図１３及び図１４参照）。
【００６３】
尚、第２の最良の形態に係る撮像装置１０は、上記した撮像装置１と比較して、鏡筒ブロック、撮像ブロック、回路ブロックの配置構成に相違はなく、記録ブロックの配置位置が異なることのみが相違するため、撮像装置１と比較して異なる部分についてのみ詳細に説明をし、その他の部分については撮像装置１における同様の部分に付した符号と同じ符号を付して説明は省略する。
【００６４】
撮像装置１０は、記録ブロック５が撮像ブロック３及び回路ブロック４の上方に隣接して配置されている（図１３参照）。
【００６５】
回路ブロック４の回路基板７、７、・・・は、例えば、部品実装面が左右方向を向くようにして左右に離隔して配置されている。冷却ファン８は、例えば、排気用のファンであり、その回転軸が上下方向に延びる向きで回路基板７、７、・・・の後方に配置されている（図１４参照）。
【００６６】
回路ブロック４の外面には、その後面に図示しない排気孔が形成され、下面に図示しない吸気孔が形成されている。
【００６７】
以上のように構成された撮像装置１０において、撮影時等において各部が動作され、回路基板７、７、・・・に搭載された各種の電子部品が発熱したときには、回路ブロック４の下面に形成された吸気孔から冷却空気として取り込まれた外部の空気が回路基板７、７、・・・に沿って流動され、さらに後方側へ流動されて冷却ファン８によって後面に形成された排気孔から外方へ排出され、回路ブロック４の内部温度の上昇が抑制される。
【００６８】
上記したように冷却ファン８の回転軸の軸方向を前後方向とし、回路基板７、７、・・・の部品実装面が向く方向である左右方向と直交する方向とすることにより、外部の空気が回路基板７、７、・・・に沿って流動され、冷却効率の向上を図ることができる。
【００６９】
尚、上記には、記録ブロック５を撮像ブロック３と回路ブロック４の上方に隣接して配置した例を示したが、逆に、記録ブロック５を撮像ブロック３と回路ブロック４の下方に隣接して配置してもよい。
【００７０】
以上に記載した通り、撮像装置１０にあっては、撮像ブロック３と回路ブロック４を前後に隣接して配置し、記録ブロック５を撮像ブロック３及び回路ブロック４の上方又は下方に隣接して配置しているため、前後方向における全長が短く、撮影時における前後の長さが邪魔となるような不都合が解消され、撮影時における良好な使い勝手を図ることができる。
【００７１】
また、記録ブロック５が撮像ブロック３及び回路ブロック４の上方に配置されているため、その分、回路ブロック４の左右方向における幅が撮像ブロック３の左右方向における幅に合わせて大きくすることができる。従って、回路ブロック４に大型の冷却ファン８を配置することが可能となり、該冷却ファン８の小さい回転数で冷却に必要な風量を得ることができ、騒音周波数の低下と騒音レベルの低減による静音化を図ることができる。
【００７２】
尚、上記には、冷却ファン８を排気用のファンとして用いた例を示したが、逆に、冷却ファン８を吸気用のファンとして用いることも可能である。この場合には、回路ブロック４の後面に吸気孔が形成され下面に排気孔が形成される。
【００７３】
また、撮像装置１と同様に、冷却ファン８を、その回転軸が前後方向に延びる向きで回路基板７、７、・・・の下方に配置することも可能である。この場合に、冷却ファン８が排気用のファンとして用いられるときには回路ブロック４の後面に吸気孔が形成され下面に排気孔が形成され、冷却ファン８が吸気用のファンとして用いられるときには回路ブロック４の下面に吸気孔が形成され後面に排気孔が形成される。
【００７４】
さらに、記録ブロック５を撮像ブロック３と回路ブロック４の下方に隣接して配置した場合には、冷却ファン８を、その回転軸が上下方向に延びる向きで回路基板７、７、・・・の上方に配置することも可能である。この場合に、冷却ファン８が排気用のファンとして用いられるときには回路ブロック４の後面に吸気孔が形成され上面に排気孔が形成され、冷却ファン８が吸気用のファンとして用いられるときには回路ブロック４の上面に吸気孔が形成され後面に排気孔が形成される。
【００７５】
このように冷却ファン８を回路基板７、７、・・・の上方に配置し、特に、排気用のファンとして用いた場合には、回路ブロック４の内部で温度が上昇された空気が上方に移動され易いため、回路ブロック４の上面に形成された排気孔から空気が排出され易く、冷却効率の向上を図ることができる。
【００７６】
尚、撮像装置１０にあっても、変形例に係る撮像装置１Ａ、１Ｂと同様に、回路基板７、７、・・・の向きに応じた位置に冷却ファン８を配置すると共に排気孔及び吸気孔を形成することが可能である。
【００７７】
例えば、回路基板７、７、・・・の部品実装面が前後方向を向くように前後に離隔して配置された場合において、記録ブロック５が撮像ブロック３と回路ブロック４の上方に隣接して配置されたときには、冷却ファン８を回路基板７、７、・・・の下方、左方又は右方に配置する。
【００７８】
また、回路基板７、７、・・・の部品実装面が上下方向を向くように上下に離隔して配置された場合において、記録ブロック５が撮像ブロック３と回路ブロック４の上方に隣接して配置されたときには、冷却ファン８を回路基板７、７、・・・の後方、左方又は右方に配置する。
【００７９】
撮像装置１０にあっても、変形例に係る撮像装置１Ｃと同様に、撮像ブロック３の後方において回路ブロック４の前端部に、冷却ファン８を回転軸が前後方向に延びる向きで配置することも可能である。
【００８０】
上記には、記録ブロック５を撮像ブロック３及び回路ブロック４、４Ａ、４Ｂ、４Ｃの右方、左方、上方又は下方に隣接して配置した撮像装置１、１Ａ、１Ｂ、１Ｃ、１０を例として示したが、記録ブロックの撮像ブロック及び回路ブロックに対する位置は、これらに限られることはなく、記録ブロックが撮像ブロック及び回路ブロックの並ぶ方向（前後方向）に対して直交する方向において隣接して配置されていればよい。例えば、記録ブロックが撮像ブロック及び回路ブロックに対して右斜め上方、右斜め下方、左斜め上方又は左斜め下方に隣接して配置されていてもよい。
【００８１】
尚、上記した冷却ファン８については、１つを設けてもよく、また、小型の冷却ファンを複数設け、撮像装置１、１Ａ、１Ｂ、１Ｃの状態に応じて部分的に冷却する等の制御を行うことが可能である。このような部分的な冷却制御を行うことにより、消費電力の低減を図ることが可能である。
【００８２】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００８３】
【図１】図２乃至図１２と共に本発明の第１の最良の形態を示すものであり、本図は、撮像装置の概略斜視図である。
【図２】撮像装置の概略背面図である。
【図３】冷却ファンが後方に配置された例を示す概略側面図である。
【図４】冷却ファンが後方に配置された例を示す概略背面図である。
【図５】冷却ファンが上方に配置された例を示す概略側面図である。
【図６】冷却ファンが上方に配置された例を示す概略背面図である。
【図７】図８と共に第１の変形例に係る撮像装置を示すものであり、本図は、概略側面図である。
【図８】概略背面図である。
【図９】図１０と共に第２の変形例に係る撮像装置を示すものであり、本図は、概略側面図である。
【図１０】概略背面図である。
【図１１】図１２と共に第３の変形例に係る撮像装置を示すものであり、本図は、概略側面図である。
【図１２】概略背面図である。
【図１３】図１４と共に本発明の第２の最良の形態を示すものであり、本図は、撮像装置の概略斜視図である。
【図１４】撮像装置の概略背面図である。
【図１５】従来の撮像装置の一例を示す概略斜視図である。
【符号の説明】
【００８４】
１…撮像装置、３…撮像ブロック、４…回路ブロック、５…記録ブロック、７…回路基板、８…冷却ファン、１Ａ…撮像装置、４Ａ…回路ブロック、１Ｂ…撮像装置、４Ｂ…回路ブロック、１Ｃ…撮像装置、４Ｃ…回路ブロック、１０…撮像装置
【図１】
2008083354.tif 000003
【図２】
2008083354.tif 000004
【図３】
2008083354.tif 000005
【図４】
2008083354.tif 000006
【図５】
2008083354.tif 000007
【図６】
2008083354.tif 000008
【図７】
2008083354.tif 000009
【図８】
2008083354.tif 000010
【図９】
2008083354.tif 000011
【図１０】
2008083354.tif 000012
【図１１】
2008083354.tif 000013
【図１２】
2008083354.tif 000014
【図１３】
2008083354.tif 000015
【図１４】
2008083354.tif 000016
【図１５】
2008083354.tif 000017
【手続補正書】
【提出日】平成19年10月25日(2007.10.25)
【手続補正１】
【補正対象書類名】明細書
【補正対象項目名】００６５
【補正方法】変更
【補正の内容】
【００６５】
回路ブロック４の回路基板７、７、・・・は、例えば、部品実装面が左右方向を向くようにして左右に離隔して配置されている。冷却ファン８は、例えば、排気用のファンであり、その回転軸が前後方向に延びる向きで回路基板７、７、・・・の後方に配置されている（図１４参照）。
【手続補正２】
【補正対象書類名】明細書
【補正対象項目名】００７３
【補正方法】変更
【補正の内容】
【００７３】
また、撮像装置１と同様に、冷却ファン８を、その回転軸が上下方向に延びる向きで回路基板７、７、・・・の下方に配置することも可能である。この場合に、冷却ファン８が排気用のファンとして用いられるときには回路ブロック４の後面に吸気孔が形成され下面に排気孔が形成され、冷却ファン８が吸気用のファンとして用いられるときには回路ブロック４の下面に吸気孔が形成され後面に排気孔が形成される。